(57)【要約】【課題】数字表示セグメントに対応させて機能表現セグメントを点灯させることで、明確に表示内容が判別できるようにする。【解決手段】運転指示及び各種設定を行う操作部と、この操作部の指示により運転を制御する制御部１１と、制御部による各種状態を表示する表示手段１３を備え、表示手段は４桁の数字表示セグメント１５と温度を表現するセグメント１６と時刻を表現するセグメント１７とを有する液晶表示器１４を用い、温度表示をする時は数字表示セグメント１５に温度を表示するとともに温度を表現するセグメント１６を点灯して温度表示していることを表現でき、時刻表示をする時は数字表示セグメント１５に時刻を表示するとともに時刻を表現するセグメント１７を点灯して時刻表示していることを表現するようにしている。【選択図】  図１
2004271075.tif 000002
【特許請求の範囲】
【請求項１】
運転指示及び各種設定を行う操作部と、この操作部の指示により燃焼部の運転を制御する制御部と、前記制御部による各種状態を表示する表示手段を備え、前記表示手段は数字表示セグメントと温度を表現するセグメントと時刻を表現するセグメントとを有する液晶表示器を用い、前記液晶表示器が温度表示をする時は数字表示セグメントに温度を表示するとともに温度を表現するセグメントを点灯し、時刻表示をする時は数字表示セグメントに時刻を表示するとともに時刻を表現するセグメントを点灯する構成とした空調機の表示装置。
【請求項２】
液晶表示器の温度を表現するセグメントは「℃」であり、時刻を表現するセグメントは「時」と「分」である請求項１記載の空調機の表示装置。
【請求項３】
液晶表示器は温度表示をする時、左側の数字表示セグメントで設定温度を表示し、右側の数字表示セグメントで室内温度を表示し、温度を表現するセグメントとして左側の数字表示セグメント近傍に「設定温度」セグメントを配設し、右側の数字表示セグメント近傍に「室内温度」セグメントを配設する構成とした請求項１または請求項２記載の空調機の表示装置。
【請求項４】
表示手段は表示切替スイッチを有し、表示切替スイッチにより温度表示と時刻表示を切替える構成とした請求項１〜３のいずれか１項記載の空調機の表示装置。
【発明の詳細な説明】
【０００１】
【発明の属する技術分野】
本発明は液晶表示器を用いて温度並びに時刻等を表示するエアコン、燃焼暖房機等の空調機の表示装置に関するものである。
【０００２】
【従来の技術】
近年、バーナで石油を燃焼させた、その高温ガスに空気を混合して温風を室内等に吹出して暖房を行なう石油ファンヒータ等の燃焼暖房機は、機能が増加し、その機能を表示するためのスペースと表示素子が必要となってきている。一方、製品の小型化やコストダウンのために、操作部や表示部のスペースは限られてきており、１つの操作キーで機能選択を兼用したり、１つの表示部を切り替えて機能を表現したりしているのが、最近の主流である。例えば、ＬＥＤ等の発光素子を用いた４桁の数字表示部で温度を表示したり時刻を表示したりと、運転状態や使用者の操作に応じて表示を切り替える方式である。
【０００３】
図５は従来例の石油ファンヒータにおける操作部と表示部を有する表示部体を示す図である。
【０００４】
１は運転スイッチで、２は運転スイッチ１のＯＮ／ＯＦＦを表す運転ランプで、３は設定温度の調節や現在時刻、タイマー予約時刻の設定を行う「＋」「−」キーで、４はタイマー予約スイッチで、５はタイマー予約中を表すタイマーランプである。６は省エネスイッチで、省エネ運転の設定／解除を行う。７は省エネ運転中を表す省エネランプである。
【０００５】
８はＬＥＤを用いた４桁の数字表示部で、温度や時刻を表示する。９は操作表示銘板に印刷された「設定温度」「室内温度」の文字で、数字表示部８の左２桁近傍に「設定温度」文字が、数字表示部８の右２桁近傍に「室内温度」文字が印刷されている。１０は操作表示銘板にコロンである「：」の形状に設けられた表示窓部（コロン）で、相対する位置にＬＥＤ等の発光素子がある。この発光素子がＯＮすると表示窓部１０の「：」が点灯して見え、発光素子が点滅すると表示窓部１０の「：」が点滅して見える。
【０００６】
以上の運転スイッチ１〜表示窓部１０は、操作表示銘板に横一列に並べて取り付けられて表示部体Ｓを構成し、そして図５の矢印で示すように石油ファンヒータの機器本体２１の前面上部に、機器本体２１の略幅いっぱいの細長い傾斜面に設けてある。
【０００７】
上記構成においてその動作を説明すると、運転スイッチ１がＯＦＦの時に数字表示部８は時刻を表示し、コロン１０は点灯または点滅して時刻表示していることを使用者に知らせる。運転スイッチ１をＯＮすると、運転ランプ２が点灯するとともに数字表示部８の左２桁には設定温度を、右２桁には室内温度が表示される。この時コロン１０は消灯し、時計表示ではないことを表現する。
【０００８】
しかしながら、石油ファンヒータ等の燃焼機は通常、使用者の近くにはなく、部屋全体の空調制御が行える位置に設置するのが普通である。この場合、上記のように、同じ４桁数字表示部に温度表示をしたり、時刻表示をしている場合、離れた場所から現在どちらの表示をしているのかが判別しづらいという課題があった。
【０００９】
【発明が解決しようとする課題】
上記従来の技術の問題点に鑑み、本発明が解決しようとする課題は、表示内容が判別のし易い空調機の表示装置を提供することにある。
【００１０】
【課題を解決するための手段】
本発明の空調機の表示装置は上記従来の課題を解決するため、運転指示及び各種設定を行う操作部と、この操作部の指示により運転を制御する制御部と、前記制御部による各種状態を表示する表示手段を備え、前記表示手段は数字表示セグメントと温度を表現するセグメントと時刻を表現するセグメントとを有する液晶表示器を用い、前記液晶表示器が温度表示をする時は数字表示セグメントに温度を表示するとともに温度を表現するセグメントを点灯し、時刻表示をする時は数字表示セグメントに時刻を表示するとともに時刻を表現するセグメントを点灯する構成としてある。
【００１１】
上記手段によれば、温度表示をする時は数字表示セグメントに温度を表示するとともに温度を表現するセグメントを点灯して温度表示していることを表現でき、時刻表示をする時は数字表示セグメントに時刻を表示するとともに時刻を表現するセグメントを点灯して時刻表示していることを表現できるため、空調機から離れた場所でも表示内容が容易に判断でき、使い勝手を良くすることができる。
【００１２】
【発明の実施の形態】
上記した本発明の目的は、各請求項に記載した構成を実施の形態とすることにより達成できるので、以下には各請求項に記載の構成にその構成による作用効果を併記し併せて請求項記載の構成のうち説明を必要とする特定用語については詳細な説明を加えて本発明の実施の形態とする。
【００１３】
請求項１記載の空調機の表示装置は、運転指示及び各種設定を行う操作部と、この操作部の指示により運転を制御する制御部と、前記制御部による各種状態を表示する表示手段を備え、前記表示手段は数字表示セグメントと温度を表現するセグメントと時刻を表現するセグメントとを有する液晶表示器を用い、前記液晶表示器が温度表示をする時は数字表示セグメントに温度を表示するとともに温度を表現するセグメントを点灯し、時刻表示をする時は数字表示セグメントに時刻を表示するとともに時刻を表現するセグメントを点灯する構成にしてある。
【００１４】
そして、温度表示をする時に数字表示セグメントは温度を表示するとともに、セグメントは温度を表現する点灯となり、温度表示していることを表現でき、時刻表示をする時に数字表示セグメントは、時刻を表示するとともにセグメントは時刻を表現する点灯となり、時刻表示していることを表現でき、数字表示セグメントの表現に対応したセグメントの機能表現により空調機から離れた場所でも表示内容が容易に判断できる。
【００１５】
また、請求項２記載の発明は、請求項１記載の空調機の表示装置にあって、温度を表現するセグメントは「℃」であり、時刻を表現するセグメントは「時」と「分」となるように構成してある。そして、温度表示をする時に数字表示セグメントは温度を表示するとともに、セグメントは温度を表現する「℃」を点灯し温度表示していることを表現でき、また時刻表示をする時に数字表示セグメントは時刻を表示するとともに、各セグメントは時刻を表現する「時」と「分」を点灯し時刻表示していることを表現でき、セグメントの適切な機能表現により燃焼機から離れた場所でも表示内容が容易に判断できる。
【００１６】
また、請求項３記載の発明は、請求項１または請求項２記載の空調機の表示装置にあって、液晶表示器が温度表示をする時は左側の数字表示セグメントで設定温度を、右側の数字表示セグメントで室内温度を表示し、温度を表現するセグメントとして左側の数字表示セグメント近傍に「設定温度」セグメントを配設し、右側の数字表示セグメント近傍に「室内温度」セグメントを配設する構成としてある。
【００１７】
そして、温度表示をする時に数字表示セグメントは、左側で設定温度を表示するとともにその近傍で「設定温度」セグメントが点灯し、右側で室内温度を表示するとともにその近傍で「室内温度」セグメントが点灯し、温度表示していることをより明確に表現できるため、空調機から離れた場所でも表示内容が容易に判断できる。
【００１８】
また、請求項４記載の発明は、請求項１〜請求項３のいずれか１項記載の空調機の表示装置にあって、表示手段は表示切替スイッチにより温度表示と時刻表示を切替える構成としてある。そして、表示手段への表示内容を切替スイッチで使用者が切り替えることができるため、使用者が見たい内容に切り替えられるので使い勝手を良くできる。
【００１９】
【実施例】
以下、本発明の一実施例について図面に基づいて説明する。
【００２０】
（実施例１）
図１は本発明の空調機である燃焼暖房機における操作部・表示部を有する表示手段を示す図である。表示手段は、従来の技術と対比させるため、同一機能を有した操作部及び表示部には、従来の技術と同一符号を付記している。
【００２１】
１は操作部である運転スイッチで、２は表示部である運転ランプで、３は操作部である温度設定並びに時刻設定をするための「＋」「−」キーで、４は操作部であるタイマー予約スイッチで、５は表示部であるタイマーランプで、６は操作部である省エネスイッチで、７は表示部である省エネランプであり、従来の技術と同様の機能を有している。
【００２２】
１１は上記各操作部からの指示で機器の運転を制御する制御部で、１２は図示していないが石油を燃焼させ、高温ガスを発生するバーナや室内空気を吸引して高温ガスに混合させて温風を吹出させる対流ファンを備えた燃焼部で、１３は上記各種操作部、表示部を操作表示板に横一列に並べて取り付けて構成した表示手段で、表示部である液晶表示器１４が配設されている。そして、図１の矢印で示すように石油ファンヒータの機器本体２２の前面上部に、機器本体２２の略横幅いっぱいの細長い傾斜面に設けてある。
【００２３】
液晶表示器１４は切替操作で暖房の温度並びに時刻を数字で表現する４桁の数字表示セグメント１５と、数字表示セグメント１５が温度を表示している時に、これに連動して温度を表示していることを表現するための点灯となる「℃」セグメント１６と、数字表示セグメント１５が時刻を表示している時に、これに連動して時刻を表示していることを表現するための点灯となる「時」と「分」の各セグメント１７を有し、これらは液晶表示器１４内に配設されている。
【００２４】
また、液晶表示器１４は温度表示をする時に左側である左２桁の数字表示セグメント１５で設定温度を、右側である右２桁の数字表示セグメント１５で室内温度を表示し、かつ温度を表現する「℃」セグメント１６を、左２桁の数字表示セグメント１５の右肩近傍に「設定温度」セグメントとして配設し、右２桁の数字表示セグメント１５の右肩近傍に「室内温度」セグメントとして配設した構成としてある。１８は表示切替スイッチで、これにより表示手段１３における温度表示と時刻表示を切替える構成としている。
【００２５】
図２は表示手段１３が時刻表示をしている時の、また図３は温度を表示している時のそれぞれの表示内容における一例である。
【００２６】
上記構成における表示装置１３の動作を図１、図２、図３を用いて説明する。
【００２７】
運転スイッチ１がＯＦＦなら運転ランプ２は消灯し、液晶表示器１４には時刻表示が行なわれている。例えば、現在が２０時１５分なら図２に示すように、左右の数字表示セグメント１５に「２０」と「１５」を表示するとともに、時刻を表示していることを表現するための「時」「分」の各セグメント１７を点灯させる。
【００２８】
次に、運転スイッチ１をＯＮすると、制御部１１は燃焼部１２に燃焼指示をするとともに、表示手段１３では運転ランプ２が点灯し、液晶表示器１４には設定温度と室内温度を表示する。例えば、現在の機器の設定温度が２０℃で、室内温度が１５℃なら図３に示すように、左右の数字表示セグメント１５に「２０」と「１５」を表示するとともに、温度を表示していることを表現するための「℃」セグメント１６を点灯させる。
【００２９】
以上のように本実施例では、温度表示をする時は数字表示セグメント１５に温度を表示するとともに、温度を表現するセグメント１６を点灯することで温度表示していることを確実に表現でき、また時刻表示をする時は数字表示セグメント１５に時刻を表示するとともに、時刻を表現するセグメント１７を点灯することで時刻表示していることを表現できるため、機器本体２２から離れた場所でも表示内容が容易に判断できる。
【００３０】
また、表示手段１３には液晶表示器１４の表示内容を温度表示と時刻表示に切り替えるためのスイッチである表示切替スイッチ１８を設けているが、機器本体２２が動作していない常には液晶表示器１４に時刻表示がされており、数字表示セグメント１５に時刻を表示するとともに、時刻を表示していることを表現するための「時」「分」セグメント１７を点灯させる。そして、表示切替スイッチ１８を押すと、液晶表示器１４は設定温度と室内温度を表示する。つまり、数字表示セグメント１５に温度を表示するとともに、温度を表示していることを表現するための「℃」セグメント１６を点灯させる。
【００３１】
以上のように、液晶表示器１４への表示内容を表示切替スイッチ１８で使用者が切り替えることができるため、使用者が見たい内容に切り替えられるので使い勝手を良くできる。
【００３２】
なお、上記実施例では温度を表示していることを表現するために、「℃」セグメント１６を点灯させたが、図４に示すように、温度を表示していることを表現するためのセグメント１６として「設定温度」と「室内温度」の文字を、左２桁数字表示セグメント１５の上方と、右２桁数字表示セグメント１５の上方にそれぞれ表示しても本実施例と同様の作用効果が得られる。
【００３３】
【発明の効果】
以上のように本発明によれば、空調機から離れた場所でも表示内容が容易に判断でき、使い勝手を良くすることができる。
【図面の簡単な説明】
【図１】本発明の実施例１における燃焼暖房機機の表示装置を示す図
【図２】同装置の時刻の一表示例を示す図
【図３】同装置の温度の一表示例を示す図
【図４】同装置の温度の別表示例を示す図
【図５】従来の燃焼暖房機の表示装置を示す図
【符号の説明】
１  運転スイッチ（操作部）
１１  制御部
１３  表示手段
１４  液晶表示器
１５  数字表示セグメント
１６  「℃」セグメント、「設定温度」「室内温度」セグメント
１７  「時」「分」セグメント
１８  表示切替スイッチ
【図１】
2004271075.tif 000003
【図２】
2004271075.tif 000004
【図３】
2004271075.tif 000005
【図４】
2004271075.tif 000006
【図５】
2004271075.tif 000007